(57)【要約】  多機能重力トーニングシューズにおいて、底部耐摩耗防滑層（１）と、上記耐摩耗防滑層上に設けられたソール本体層（２）と、このソール本体層上に設けられた接合層（３）と、を含み、上記ソール本体層には、重量物（５）を選択的に充填可能な穴（４）が横に配列され、かつ上記穴は貫通穴であり、上記穴の開口は上記ソール本体層の側部に開設されている。本発明は更に多機能重力トーニングシューズを提供する。
2014511741.tif 000002
【特許請求の範囲】
【請求項１】
底部耐摩耗防滑層と、前記耐摩耗防滑層上に設けられたソール本体層と、前記ソール本体層上に設けられた接合層と、を含む多機能重力トーニングソールであって、
前記ソール本体層には、重量物を選択的に充填可能な穴が横に配列されており、前記穴は貫通穴であり、前記穴の開口は前記ソール本体層の側部に開設されている、ことを特徴とする多機能重力トーニングソール。
【請求項２】
前記ソール本体層には、複数の前記穴が設けられていることを特徴とする請求項１に記載の多機能重力トーニングソール。
【請求項３】
前記複数の穴は、縦に一列または複数列に配列されていることを特徴とする請求項２に記載の多機能重力トーニングソール。
【請求項４】
前記穴の縦断面は、円形、三角形や五角形であることを特徴とする請求項３に記載の多機能重力トーニングソール。
【請求項５】
前記複数の穴は、均等に前記ソール本体層内に配列されていることを特徴とする請求項２に記載の多機能重力トーニングソール。
【請求項６】
前記重量物は、条状体、粒状体、若しくは金属粒と弾性材料とが一体化した混合型可撓体であることを特徴とする請求項１に記載の多機能重力トーニングソール。
【請求項７】
前記穴の中には、前記穴とマッチングしたスリーブが設けられていることを特徴とする請求項１に記載の多機能重力トーニングソール。
【請求項８】
前記スリーブの中には、発光に用いられる発光体装置が設けられており、前記発光体装置から発射された光は、透明材料からなる蓋体を透過し、前記ソールの外部まで至ることを特徴とする請求項７に記載の多機能重力トーニングソール。
【請求項９】
前記穴が位置するソール本体層の側部の開口部には、蓋が設けられており、前記重量物が前記蓋と前記穴とからなる密封空間内に密封されていることを特徴とする請求項１に記載の多機能重力トーニングソール。
【請求項１０】
アッパーと多機能重力トーニングソールとを含み、前記ソールは、底部耐摩耗防滑層と、前記底部耐摩耗防滑層に設けられたソール本体層と、前記ソール本体層に設けられた接合層と、を含み、前記アッパーは前記接合層と接合されており、前記ソール本体層には、重量物を選択的に充填可能な穴が横に配列されており、前記穴は貫通穴であり、前記穴の開口は前記ソール本体層の側部に開設されている、ことを特徴とする多機能重力トーニングシューズ。
【発明の詳細な説明】
【技術分野】
【０００１】
本発明は、ソールに関する。特に、負荷運動で体型を整えるための多機能重力トーニングソール及び多機能重力トーニングシューズに関する。
【背景技術】
【０００２】
生活水準の向上につれて、人々はさらに豊かで栄養高い飲食物を取られるようになっている。それに伴う肥満と人々の美意識への追求が原因となるシェイブアップブームが起こっている。日に日に普及しているシェイプアップ方法の中で、効果的に運動することによって余分なカロリーを燃やす方法は、ますます人気が高まっている。負荷運動で体型を整える効果を高めるための方法として、重いものを足又は踵にくくりつけて負荷運動をする比較的に簡単且つ効果的な方法が挙げられる。日常の仕事と生活に影響を及ばないため、このような重いものを足又は踵にくくりつけて運動する方法は特別な時間及び場所でしか採用されない。それに、他人に気づかれない状態でフィットネスを完成させようと思う人が多く、重いものを足又は踵にくくりつけると、他人に容易に気付かれ、美しくなく、フィットネスのことを人に知られてしまう。
以上の実情に鑑みて、体型を整える機能がある多機能重力トーニングソール及び多機能重力トーニングシューズが要求されている。
【発明の概要】
【発明が解決しようとする課題】
【０００３】
従来技術の不足に鑑みて、本発明の主な目的は、隠蔽性のある、美しく使いやすい多機能重力トーニングソール及びトーニングシューズを提供することである。
【課題を解決するための手段】
【０００４】
本発明は、上記の技術課題を解決するため、底部耐摩耗防滑層と、上記耐摩耗防滑層上に設けられたソール本体層と、このソール本体層上に設けられた接合層と、を含み、上記ソール本体層には、重量物を選択的に充填可能な穴が横に配列されており、上記穴の開口は上記ソール本体層の側部に開設されている、多機能重力トーニングソールを提供する。
【０００５】
ソール本体層に穴を設け、その中に選択的に重量物を充填する又はしなくてもいい。それに、充填の時、充填の深さ、及び重量物の種類や組合せ方式などを選ぶことができる。こうして、使用者自身の需要に応じて靴の重量を自由に調整し、効果的且つ計画的に体型を整えることができる。
【０００６】
さらに、上記ソール本体層には複数の穴が設けられている。
運動時に穴が受ける圧力を複数の穴に分散させることができ、ソールの寿命を延ばすことに有利である。同時に、穴の数が多いので、穴の充填方法の選択が多い。複数の穴の全部若しくは一部に充填可能であり、充填しようとする穴の数量と位置も選ぶことができる。このように、穴の配置方式及び充填選択が多くなり、計画的に体型を整えることに有利である。
【０００７】
さらに、上記複数の穴は縦に一列または複数列に並べられている。
複数の穴の配置方式は様々あり、複数の穴は、均等に列になって縦に並べられたり、一定の規則に沿って列になって縦に並べられたりしてもよい。こうして、配置方式でかかる力を分散させることにより、ソールの寿命を延ばすことに有利であり、使用者は自由に穴を充填し、計画的に体型を整えることに有利である。
【０００８】
さらに、上記穴は貫通穴又は盲穴である。
貫通穴である場合に、ソールの重量増加の空間が大きい。盲穴である場合に、需要に応じて開口の位置を選ぶことができ、ソールの重量の増加が可能であり、且つ美しい外観で隠蔽性が高い。
【０００９】
さらに、上記穴は断面が円形、三角形又は五角形である。
穴の断面が様々な形状を有し、その外観も美しく、充填物を緊密に挟んで充填物の露出を防止することができる。
【００１０】
さらに、上記複数の穴は均等に上記ソール本体層内に設けられている。
穴は均等に設けられているため、ソールにかかる力を均一的に分散させ、穴の変形を減らし、ソール本体層の支持力を高め、ソールの寿命を延ばすことができる。
【００１１】
さらに、上記重量物は条状体、粒状体、若しくは金属粒と弾性材料とが一体化した混合型可撓体である。
重量物は、形状と構成材料が多様であるため、充填方法が様々あり、使用者は自分の好みによって重量物を選ぶことができ、使用者はより自由に体型を整えることができる。
【００１２】
さらに、上記穴の中に、穴とマッチングしたスリーブが設けられており、上記重量物は上記スリーブに密封されている。
スリーブを使って穴を充填する。スリーブ内の重量物は、種類、形状及び構成材料が沢山あり、条状体、粒状体、混合型可撓体であってもよいし、日常生活でよく見られる砂や豆類等であってもよいため、ソールの実用性と便利性が高い。
【００１３】
さらに、上記スリーブの中には、発光に用いられる発光体装置が密封されており、上記発光体装置から発射された光は、透明材料からなる上記スリーブの蓋体を透過し、上記ソールの外部まで至ることができる。
発光体装置を設けることにより、ソールの外観が美しくなり、暇の時や舞台出演の時に履くことができる。同時に、上記からわかるように、重量物の種類が多いため、穴の充填方法の選択も多く。
【００１４】
さらに、上記穴が位置する上記ソール本体層の側部の開口部には蓋が設けられており、上記重量物は上記蓋と上記穴とからなる密封空間内に密封されている。
蓋を設けることにより、穴内の重量物の露出を効果的に防止することができ、実用価値が高く、ソールの穴の隠蔽性が高い。
【００１５】
本発明は、さらに、アッパーと多機能重力トーニングソールとを含み、上記ソールは、底部耐摩耗防滑層と、上記底部耐摩耗防滑層に設けられたソール本体層と、上記ソール本体層に設けられた接合層と、を含み、上記アッパーは上記接合層と接合しており、上記ソール本体層には、重量物を選択的に充填可能な穴が横に配列されており、この穴の開口は上記ソール本体層の側部に開設されている、多機能重力トーニングシューズを提供する。ソール本体層に選択的に充填可能な穴を設けることにより、使用者の需要に応じて靴の重量を自由に調整し、より効果的に体型を整えることができる。
【発明の効果】
【００１６】
従来技術に比べて、本発明に係る多機能重力トーニングソール及び多機能重力トーニングシューズは以下有利な効果を有する。
ソールに穴を設けて重量物を穴に充填することにより、靴の重量を直接に増加させ、使用者は日常に、人に気づかれない状態でフィットネスを行うことができる。それに、穴を充填しなくてもよいため、ソールが軽くなり、充填するか否かは使用者の自由である。ソールには少なくとも一つの穴を設け、充填物を穴に充填することにより、需要に応じて異なる重さの充填物を交換することができる。穴の充填方法が様々あるため、穴の形状は様々あり、穴に発光体装置を設けることにより、靴の外観が美しくなる。穴内の重量物の形状が様々あるため、使用者は自分の支持力及び需要に応じて負荷を調整することができ、効果的且つ計画的に体型を整えることができる。この多機能重力トーニングシューズを履いていて日常の仕事、勉強や生活で体を鍛える時、靴の重量を増やし、進行時の運動強度、エネルギー消耗量、足の末端の循環を増加させることにより、足の美しさをリシェープする目的を達成することができる。
【図面の簡単な説明】
【００１７】
【図１】本発明に係る多機能重力トーニングソールの構成を示す図である。
【図２】図１に示す穴が均等に列になって並べられている構成を示す図である。
【図３】図１に示す穴が不均等に列になって並べられている構成を示す図である。
【図４】図１に示す穴が五角形の形状をしている構成を示す図である。
【図５】図１に示す穴が三角形の形状をしている構成を示す図である。
【図６】図１に示す穴が複数種類の形状をしている構成を示す図である。
【図７】図１に示す穴の大きさが異なる時の構成を示す図である。
【図８】図７に示す穴が不均等に並べられている構成を示す図である。
【図９】図１に示す穴の第一種の充填方法の縦断面の構成を示す図である。
【図１０】図１に示す穴の第二種の充填方法の縦断面の構成を示す図である。
【図１１】図１に示す穴の第三種の充填方法の縦断面の構成を示す図である。
【図１２】図１に示す穴の第四種の充填方法の縦断面の構成を示す図である。
【図１３】図１に示す穴内のスリーブの縦断面の構成を示す図である。
【図１４】本発明に係る多機能重力トーニングシューズを示す図である。
【発明を実施するための形態】
【００１８】
以下、本発明の実施形態について図面を参照しながら説明する。
図１は本発明に係る多機能重力トーニングソールの構造を示す図である。図１に示すように、本発明は、底部耐摩耗防滑層１と、この耐摩耗防滑層１上に設けられたソール本体層２と、このソール本体層２上に設けられた接合層３と、を含み、上記ソール本体層２には、重量物５を選択的に充填可能な穴４が横に配列されており、この穴４の開口は上記ソール本体層２の側部に開設されている、多機能重力トーニングソールを提供する。
【００１９】
上記選択充填が可能な穴について、この中に重量物を充填する又はしなくてもいい。それに、充填の時、充填の深さ、及び重量物の種類や組合せ方式などを選ぶことができる。ソール本体層２の中に穴４が開設されていることによって、ソールが軽量化になり、穴４内に重量物５を充填しない場合、即ち穴４内に空いている場合、ソールは日常の重さによりも軽量である。一方で、ソール本体層２の中に穴４が開設されていることによって、ソールの重量増加のスペースを提供し、穴４内に重量物５を選択的に充填して靴の重量を直接に増加させることで、使用者は日常にフィットネスを行うことができる。さらに、穴４内の充填深さを選択することができ、穴４を全部に充填することができるので、ソールの重量を最大限に高め、使用者の負荷を高め、より多い運動量を得ることができる。所望の体重を実現する又は所望の筋群を鍛えるため、使用者は、穴４に対する重量物５の充填深さを選べてソールの重量の増加をコントロールすることにより、計画的な運動を行うことができる。
【００２０】
穴４が横に配列されている。なお、ソール平面と平行な方向を横とし、軸線は、ソールの短手方向又は長手方向のどちらかに沿って伸びることが出来る。使用者が歩く時、踵が上げると、それに伴ってソールが長手方向に沿って曲がって変形し、穴４の軸線がソールの短手方向に沿って伸べてソールの長手方向と垂直するため、靴下の変形が上記穴４に及ぼす影響を最低までに引き下げ、ソールの寿命を効果的に延ばすことができる。また、穴４はソールの長手方向又は水平斜め方向に局部的に設置されてもよい。靴の踵部分が受ける曲げ力は小さいため、この部分に様々方向への穴４が設けられることができ、このようにソールの品質に影響することなく、ソールの重量を増やして体型を整えることができる。
【００２１】
さらに、図２−３に示すように、上記ソール本体層には複数の穴４が設けられていることにより、体がソールに与える圧力を複数の穴４に分散させ、複数の穴４は共同でソールが受ける圧力を分担し、穴の変形を減らし、ソールの支持力を向上させ、ソールの寿命を延ばすことができる。同時に、複数の穴４によって穴４充填の選択性をさらに高め、複数の穴４の全部若しくは一部に充填することができる。複数の穴４の全部に充填する時はソールの重量は一番重く、使用者の運動量を増加させることができる。使用者は自分の需要に応じて、充填しようとする穴の数量と位置を選べて複数の穴４の一部に充填することで、ソールにかかる負荷を制御し、計画的な運動を行うことが出来る。
【００２２】
これに基づき、上記複数の穴４は縦に一列または複数列に並べられている。なお、ソール平面と垂直する方向は縦とする。すなわち、複数の穴４をソール平面に一列にして並べて、又は縦複数列にして並べてもいい。図２に示すように、穴４が上下二列に分けて並列に並べられており、かかる力を均一に各穴４に分散させ、各穴４が受ける力を均一にするため、ソールの寿命を延ばすことができる。図３に示すように、靴の踵部分が受ける力が大きく、曲げ力が小さいため、この部分に複数の穴４を設けることができ、靴底の中央部に少量の穴４を開けてもいいし、穴４を開けなくてもいい。このようにして、ソールが曲げ変形による裂けることを防止することができる。
【００２３】
この穴４は貫通穴又は盲穴であってもいい。貫通穴である場合、ソール本体層２を横方向で貫通する穴４である。盲穴である場合、一端がソール本体層３の側部に開口されており、他端がソール本体層２の内部に設けられており、ソール本体層２を貫通しない穴４である。
【００２４】
上記穴４は貫通穴である場合に、ソール本体層２の内外側部を貫通する貫通穴であるため、ソールの重量を最大限に高め、重量物の排出を簡単に行える。穴４は盲穴である場合に、使用者の需要に応じてその開口を上記ソール本体層２の外側部又は内側部に設けることができるため、使用者の利き手に満足して充填操作が便利となり、且つ穴４の開口は上記ソール本体層２の内側部に設けられるため、使用者が進行の時、通行人に気づけられなく、こっそり体型を整える目的を実現することができる。
【００２５】
また、図１と図４−６に示すように、穴４の縦断面が様々な形状、例えば、円形、三角形や五角形などである。そのほか、穴４の縦断面が四角形又は角丸矩形等であってもよいし、様々な形状を組み合わせて形成してもいい。穴４の形状の組み合わせ方がいろいろあり、多様な形状でソールの美しさを大きく高める。他方で、穴４の縦断面が三角形、五角形、四角形又は角丸矩形である場合に、その縦断面の図形の端点位置が囲む円の直径の大きさは、穴４の最大開口サイズとなり、穴４の内壁が当該最大開口サイズに対して穴４の軸線方向へ突出するため、重量物５を穴４に充填する時、穴壁による重量物５に対する挟み力がさらに顕著となり、しっかり重量物５を穴４に充填することができる。
【００２６】
また、図１、図７−８に示すように、穴４の開口サイズは様々であり、配置方式も様々である。図１に示すように、穴４が均一にソール本体層２内に設けられており、体によるソールに対する圧力を均一に穴４に分散させ、単一の穴４の変形を減らし、ソールの寿命を延ばすことができる。
【００２７】
それに、図７−８に示すように、使用者が進行する時、ソールの各部分が受ける曲げ変形が異なる。そのため、上記規則に従って、穴４の開口サイズの種類は少なくとも１種であり、配置方式も様々である。ソールにかかる力による曲げ変形の大きさと変形頻度に基づき、穴４の開口サイズの種類を調整することができる。靴の踵部分に曲げ力が作用しないため、靴の踵部分には開口サイズの大きい穴４が設けられることができる。一方で、靴底の中央部は、使用者の進行によって常に曲がったので、この部分には開口サイズの小さい穴４を開設してもいいし、穴４を開設しなくてもいい。同様に、使用者が運動する時のソールにかかる力を分析して、運動規則に従って穴４を不均一に設けることにより、穴４をさらに科学的に設け、ソールの品質を高め、ソールの寿命を延ばすことができる。
【００２８】
また、上記重量物５は条状体、粒状体、若しくは金属粒と弾性材料とが一体化した混合型可撓体であってもよい。
【００２９】
条状体は、形状が条状のものであり、例えば、金属製条状体、砂利製条状体、弾性材料製条状体や木材製条状体など同じ役割を果たす類似の条状体が挙げられる。穴４内に一本の上記条状体を充填するだけではなく、複数本の上記条状体を選択的に充填してもいい。弾性材料製条状体を穴４に充填してから、金属製条状体を充填するのは好ましく、弾性材料製条状体による金属製条状体に対する押し出し作用は、上記穴４内の重量物５を固定させ、移動させない。重量物５は軽量条状体である場合、重量物５はソールの重量にあまり影響しないが、支持の役割を担っているため、体の重量による穴４の変形を防止し、ソールの寿命を延ばすことができる。
【００３０】
粒状体は、形状が粒状のものであり、例えば、金属製粒状体、弾性材料製粒状体、砂利製粒状体など同じ役割を果たす類似の粒状体が挙げられる。穴４内には、上記粒状体中の一種以上を選択的に充填してもよい。組合せ方式は様々であり、使用者の需要に応じて、重量物の種類や組合せ方式を選択し、またはある比率で混合することができる。このようにして、ソールを使用者の所望の重量までに調整することができ、効果的にフィットネスを行うことができる。重量物５が軽量粒状体である場合、充填物はソールの重量にあまり影響しないが、支持の役割を担っているため、体の重量による穴４の変形を防止し、ソールの寿命を延ばすことができる。
【００３１】
混合型可撓体は、金属粒と弾性材料とを混合させて金属粒を弾性材料で覆うことにより一体化したものであり、安定な構造を持ち、ソールの柔軟性を確保することができるため、運動の時、金属粒の位置ずれが生じなく、着心地に影響しない上に、フィットネスを完成させる目的を実現することができる。使用者は需要に応じて一つ又は複数の上記混合型可撓体を充填することができる。
【００３２】
図９−１２は、穴を充填する四つの方法の穴の縦断面の構造を示す図である。図９−１２に示すように、本発明の好ましい実施例として、使用者は需要に応じて、上記条状体、粒状体及び混合型可撓体の中から選ばれた一種又は二種以上を重量物５として使うことができる。上記一種又は二種以上の重量物を、ある形の穴内に充填し、その他の穴に充填しなくてもいい。または、一種の重量物をある形の穴内に充填し、別の一種の重量物を他の穴に充填してもいい。または、一種の重量物をある形の穴内に充填し、二種以上の重量物を他の穴に充填してもいい。または、二種以上の重量物をある形の穴内に充填し、別の二種以上の重量物を他の穴に充填してもいい。
【００３３】
さらに、図１３に示すように、これは穴中のスリーブの断面であり、穴４の中に穴４とマッチングしたスリーブ６が設けられており、重量物５はスリーブ６に密封されており、スリーブ６は穴４に密封嵌合されている。図１３に示すように、上記充填方法を使ってスリーブ６に上記条状体、粒状体及び混合型可撓体の中から選ばれた一種又は二種以上を充填してもよく、又は、スリーブ６に金属粒、砂及び豆類の中から選ばれた一種又は二種を充填してもいい。充填材の種類が様々であり、日常生活でよく見られるものであるため、ソールの通用性及び便利性を極めて高めることができる。
さらに、上記スリーブ６の中には、発光に用いられる発光体装置が設けられており、スリーブの端口の蓋体は透明材料から製造されている。この発光体装置から発射された光はこの蓋体を透過し、上記ソールの外部まで至る。この蓋体を半透明材料で支えてもいい。
【００３４】
負荷運動をしない時、発光体装置をスリーブ６内に置いてからスリーブ６を穴４内に充填することにより、ソールの美しさを高め、暇の時や舞台出演の時に履くことができる。
【００３５】
穴４内の重量物５の種類が多いので、穴４の充填方法は沢山ある。なお、充填の深さを選ぶことができる他、どの穴を充填するのかも選ぶことができ、一部または全部の穴４を充填してもよいいし、充填しようとする穴４の数と位置を選ぶことができる。このような充填方法を選んで、使用者は極めて自由にソールの重量を増やし、消費者の需要に応じて体型を整えることに有利である。
【００３６】
本発明のその他の実施形態としては、穴４が位置するソール本体層２の側部の開口部には蓋が設けられており、重量物５が蓋と穴４とからなる密封空間内に密封されていることにより、使用者の進行と伴って重量物が露出することを効果的に防止することができ、実用価値が高く、ソールの穴の隠蔽性が高い。
【００３７】
図１４に示すように、本発明は、アッパー７と多機能重力トーニングソールとを含み、上記ソールは、底部耐摩耗防滑層１と、上記底部耐摩耗防滑層１に設けられたソール本体層２と、上記ソール本体層２に設けられた接合層３と、を含み、上記ソール本体層２には、重量物５を選択的に充填可能な穴４が横に配列されており、この穴４の開口は上記ソール本体層２の側部に開設されている、多機能重力トーニングシューズをさらに提供する。
【００３８】
ソール本体層に選択的に充填可能な穴を設けることにより、使用者の需要に応じて靴の重量を自由に調整し、効果的にフィットネスを行うことができる。
【００３９】
以上は、本発明の好ましい実施形態であるが、本発明は上記実施形態に限られるものではない。本発明の精神と原則から逸脱しない何れの修正、等価な変更や改善などは、本発明の保護範囲内に含まれるものである。
【図１】
2014511741.tif 000003
【図２】
2014511741.tif 000004
【図３】
2014511741.tif 000005
【図４】
2014511741.tif 000006
【図５】
2014511741.tif 000007
【図６】
2014511741.tif 000008
【図７】
2014511741.tif 000009
【図８】
2014511741.tif 000010
【図９】
2014511741.tif 000011
【図１０】
2014511741.tif 000012
【図１１】
2014511741.tif 000013
【図１２】
2014511741.tif 000014
【図１３】
2014511741.tif 000015
【図１４】
2014511741.tif 000016
【国際調査報告】
2014511741.tif 000017
2014511741.tif 000018
2014511741.tif 000019
2014511741.tif 000020
2014511741.tif 000021
2014511741.tif 000022